(57)【要約】【課題】本発明は、いろいろな種類のナッツに対応できるよう、２通り以上の形状のナッツ保持・挟圧部を形成することができるナッツ割り器を提供することを課題とする。【解決手段】その長手方向の両側面に挟圧部を有する板状の挟圧部材に柄を取り付けた片２つからなり、その２つの片は互いに分離しており、その２つの片は軸と軸受部を１つずつ有する２つの片であるか、又は軸を２つ有する片と軸受部を２つ有する片の２つの片であり、１つの片の軸と他の１つの片の軸受部を係合して使用するものであり、その軸と軸受部の係合の仕方を変えて、２通り以上の形状のナッツ保持・挟圧部を形成することができる構成とした。【選択図】図１
2017099770.tif 000002
【特許請求の範囲】
【請求項１】
その長手方向の両側面に挟圧部を有する板状の挟圧部材に柄を取り付けた片２つからなるナッツ割り器であって、
その２つの片は互いに分離しており、
その２つの片が軸と軸受部を１つずつ有する２つの片であるか、又は軸を２つ有する片と軸受部を２つ有する片の２つの片であって、
１つの片の軸と他の１つの片の軸受部を係合して使用するナッツ割り器であって、
その軸と軸受部の係合の仕方を変えて、２通り以上の形状のナッツ保持・挟圧部を形成することができるナッツ割り器。
【請求項２】
その長手方向の両側面に挟圧部を有する板状の挟圧部材に柄を取り付けた片２つからなり、
その２つの片は互いに分離しており、
挟圧部材は、それぞれ、柄とは反対の側に軸保持部がなく軸受部を有する中央挟圧部材を真中に、柄とは反対の側に軸受部がなく軸保持部を有する外側挟圧部材を上下に挟んで固着されており、
上下の外側挟圧部材の軸保持部の中心を貫通して軸が固定されており、
軸受部には、他の片の軸が軸受部の中心まで達することができるように、外縁から中心に至る軸通路が形成されており、
挟圧部材の軸保持部と軸受部の柄よりの縁にはそれぞれ前記挟圧部が形成されており、
２つの片の挟圧部で形成されるナッツ保持・挟圧部の形状は異なるように形成されており、
１つの片の軸を他の１つの片の軸受部に係合して使用する、
ナッツ割り器。
【請求項３】
軸保持部と軸受部の外周部及び他の片の軸受部が接することとなる部分の中央挟持部材の縁は同じ大きさの円の円弧の一部となっており、
１つの片の軸を他の１つの片の軸受部に係合して、２つの片の柄が最も近づいた状態にしたとき、係合した軸の軸保持部と軸受部とは精確に重なり、当該軸受部と係合した軸の軸保持部に連なる中央挟持部材の縁は密接しており、
軸通路が開口している方向は、軸保持部がある方向で柄とは反対の方向であり、
１つの片の軸を他の１つの片の軸受部に挿入するときの２つの片がなす角度が限定されることとなる、
ことを特徴とする請求項２に記載のナッツ割り器。
【請求項４】
その長手方向の両側面に挟圧部を有する板状の挟圧部材に柄を取り付けた片２つからなるナッツ割り器であって、
その２つの片は、互いに分離している軸受片１つと有軸片１つであって、
軸受片の挟圧部材は、柄とは反対の側の左右に軸受部を１つずつ有する中央挟圧部材を真中に、柄とは反対の側に軸受部も軸保持部もない外側挟圧部材を上下に挟んで固着されており、軸受部には、有軸片の軸が軸受部の中心まで達することができるように、外縁から中心に至る軸通路が形成されており、
有軸片の挟圧部材は、柄とは反対の側の左右にある軸保持部の部分が欠けている中央挟圧部材を真中に、柄とは反対の側の左右に軸保持部を１つずつ有する外側挟圧部材を上下に挟んで固着されており、上下の外側挟圧部材の軸保持部の中心を貫通して軸が固定されており、
挟圧部材の軸保持部又は軸受部の柄よりの２つの縁にはそれぞれ前記挟圧部が形成されており、
２つの片の挟圧部で形成されるナッツ保持・挟圧部の形状は異なるように形成されており、
有軸片の軸を軸受片の軸受部に係合して使用する、
ナッツ割り器。
【請求項５】
軸保持部と軸受部の外周部及び軸受片の軸受部が接することとなる有軸片の中央挟持部材の縁は同じ大きさの円の円弧の一部となっており、
有軸片の軸を軸受片の軸受部に係合して、２つの片の柄が最も近づいた状態にしたとき、係合した軸の軸保持部と軸受部とは精確に重なり、当該軸受部と係合した有軸片の軸保持部に連なる中央挟持部材の縁は密接しており、
軸受部の軸通路が開口している方向は、互いに他の軸受部がある方向で柄とは反対の方向であり、
有軸片の軸を軸受片の軸受部に挿入するときの２つの片がなす角度が限定されることとなる、
ことを特徴とする請求項４に記載のナッツ割り器。
【発明の詳細な説明】
【技術分野】
【０００１】
この発明は、２通り以上の形状のナッツ保持・挟圧部を形成することができるナッツ割り器に関する。
【背景技術】
【０００２】
従来、図９の（ａ）又は（ｄ）のようなナッツ保持・挟圧部を１組有するナッツ割り器が考案されている。
また、図９の（ｂ）のようなナッツ保持・挟圧部を１組有するナッツ割り器が考案されている（例えば、特許文献１参照。）。
また、図９の（ｃ）のようなナッツ保持・挟圧部を１組有するナッツ割り器が考案されている（例えば、特許文献２参照。）。
【先行技術文献】
【特許文献】
【０００３】
【特許文献１】特開昭５３−６４７４号公報
【特許文献２】実開昭６１−１５１６４０号公報
【発明の概要】
【発明が解決しようとする課題】
【０００４】
特に堅い殻を有するオニグルミは図９の（ａ）のようなナッツ保持・挟圧部を有するナッツ割り器を使用すると、殻を割るのに大きな力が必要であり、大きな力を加えて割った場合、内部の実まで一緒に細かく割れてしまうことがある。
オニグルミの殻の外側には２本の突条部が並んで１周しており、その２本の突条部の間に、図９の（ｂ）の突起又は（ｃ）の押切刃を当てて殻を割ると容易に割ることができる。
一方で、このような突条部がないナッツにおいては、図９の（ｂ）の突起又は（ｃ）の押切刃を当てるところがなく、ナッツを確実に保持・挟圧することが困難である。
【０００５】
本発明は、いろいろな種類のナッツに対応できるよう、２通り以上の形状のナッツ保持・挟圧部を形成することができるナッツ割り器を提供することを課題としている。
【課題を解決するための手段】
【０００６】
上記の課題を解決するために、本発明の態様は、その長手方向の両側面に挟圧部を有する板状の挟圧部材に柄を取り付けた片２つからなり、その２つの片は互いに分離しており、その２つの片は軸と軸受部を１つずつ有する２つの片であるか、又は軸を２つ有する片と軸受部を２つ有する片の２つの片であり、１つの片の軸と他の１つの片の軸受部を係合して使用するものであり、その軸と軸受部の係合の仕方を変えて、２通り以上の形状のナッツ保持・挟圧部を形成することができるナッツ割り器であることを要旨とする。
【発明の効果】
【０００７】
本発明によれば、少なくとも２通りのナッツ保持・挟圧部を形成できるので、殻に突起又は押切刃を当てることができるナッツとそうでないナッツに対応して、２つの片の係合の仕方を変えて、適切な形状のナッツ保持・挟圧部でナッツを割ることができる。
【図面の簡単な説明】
【０００８】
【図１】本発明の第１の実施の形態に係るナッツ割り器の平面図である。
【図２】図１に示した２つの片を係合した状態での平面図である。
【図３】図１に示した２つの片を他の仕方で係合した状態での平面図である。
【図４】本発明の第１の実施の形態に係るナッツ割り器の中央挟圧部材の形状を特に示した平面図である。
【図５】本発明の第１の実施の形態に係るナッツ割り器の挟圧部材の構成を示した平面図である。
【図６】本発明の第１の実施の形態に係るナッツ割り器の２つの片を係合する直前の平面図である。
【図７】本発明の第１の実施の形態に係るナッツ割り器の２つの片を係合した直後の平面図である。
【図８】本発明の第２の実施の形態に係るナッツ割り器の平面図である。
【図９】ナッツ保持・挟圧部の形状の例を示す平面図である。
【発明を実施するための形態】
【０００９】
次に、図面を参照して、本発明の第１及び第２の実施の形態を説明する。
なお、図１から図８までにおいては、挟圧部４の形状を一部簡略化して記載しているが、挟圧部４の実際の形状は、図９の各図に例示しているナッツ保持・挟圧部４ｏの左側半分若しくは右側半分又はそれらを左右反転したもののいずれかである。
（第１の実施の形態）
【００１０】
図１に示すように、ナッツ割り器のＡ片１ａとＢ片１ｂは、軸５と軸受部７をそれぞれ１つずつ持っている。Ａ片１ａの軸受部７にＢ片１ｂの軸５を係合させると、Ａ片１ａの挟圧部４ａＲとＢ片１ｂの挟圧部４ｂＬとで１つのナッツ保持・挟圧部４ｏが形成される。
また、Ｂ片１ｂの軸受部７にＡ片１ａの軸５を係合させると、Ｂ片１ｂの挟圧部４ｂＲとＡ片１ａの挟圧部４ａＬとで１つのナッツ保持・挟圧部４ｏが形成される。
挟圧部４ａＲと挟圧部４ｂＬとで形成されるナッツ保持・挟圧部４ｏの形状と、挟圧部４ｂＲと挟圧部４ａＬとで形成されるナッツ保持・挟圧部４ｏの形状が異なるような挟圧部４の形状にしておくことにより、２通りの形状のナッツ保持・挟圧部４ｏを持つナッツ割り器とすることができる。
【００１１】
ナッツ保持・挟圧部４ｏの形状は図９に例示するものが考えられるが、これらの任意の２つを組み合わせることが可能である。
殻に突起又は押切刃を当てることができるナッツに対しては、図９の（ｂ）、（ｃ）、（ｅ）又は（ｆ）が適しており、そうでないナッツに対しては、図９の（ａ）又は（ｄ）が適している。
【００１２】
２つの片を係合したとき、軸保持部６と軸受部７とがぴったり重なるようにすればデザイン的にすっきりしたものになる。
また、２つの片を係合したとき、係合している軸受部７に接近することとなる他の片の中央挟圧部材２ｃが軸受部７に密着して回動するためには軸受部７の外周は円である必要があり、前記中央挟圧部材２ｃの他の片の軸受部７に密着する部分も同じ大きさの円弧である必要がある。
【００１３】
軸受部７に設ける軸通路８の開口の方向を軸保持部６がある方向で柄３とは反対の方向で適切に設定すれば、２つの片を係合するために軸５を軸通路８に挿入するときの２つの片がなす角度が限定される。逆に言えば、その角度でないと２つの片は外れないことになり、使用中に不用意に２つの片が外れることはなくなる。
（第２の実施の形態）
【００１４】
図８に示すように、ナッツ割り器の軸受片１ｃは軸受部７を２つ、有軸片１ｄは軸５を２つ持っている。軸受片１ｃの軸受部７ｂに有軸片１ｄの軸５ａを係合させると、軸受片１ｃの挟圧部４ｃＲと有軸片１ｄの挟圧部４ｄＬとで１つのナッツ保持・挟圧部４ｏが形成される。
また、軸受片１ｃの軸受部７ｂに有軸片１ｄの軸５ｂを係合させると、軸受片１ｃの挟圧部４ｃＲと有軸片１ｄの挟圧部４ｄＲとで１つのナッツ保持・挟圧部４ｏが形成される。
また、軸受片１ｃの軸受部７ａに有軸片１ｄの軸５ａを係合させると、軸受片１ｃの挟圧部４ｃＬと有軸片１ｄの挟圧部４ｄＬとで１つのナッツ保持・挟圧部４ｏが形成される。
また、軸受片１ｃの軸受部７ａに有軸片１ｄの軸５ｂを係合させると、軸受片１ｃの挟圧部４ｃＬと有軸片１ｄの挟圧部４ｄＲとで１つのナッツ保持・挟圧部４ｏが形成される。
以上の４つの組み合わせがあるわけであるが、左右対称形のナッツ保持・挟圧部４ｏを含む場合は、ナッツ保持・挟圧部４ｏが同じ形状となる組み合わせが２以上存在することから、形成可能なナッツ保持・挟圧部４ｏの形状の種類は３以下となる場合がある。
【００１５】
ナッツ保持・挟圧部４ｏの形状は図９に例示するものが考えられるが、（ａ）、（ｂ）及び（ｃ）を形成することができる組み合わせと（ｄ）、（ｅ）及び（ｆ）を形成することができる組み合わせが考えられる。
また、（ａ）から（ｆ）までの任意の２つを組み合わせることは可能である。
【００１６】
２つの片を係合したとき、軸保持部６と軸受部７とがぴったり重なるようにすればデザイン的にすっきりしたものになる。
また、２つの片を係合したとき、係合している軸受片１ｃの軸受部７に接近することとなる有軸片１ｄの中央挟圧部材２ｃが軸受部７に密着して回動するためには軸受部７の外周は円である必要があり、前記中央挟圧部材２ｃの軸受片１ｃの軸受部７に密着する部分も同じ大きさの円弧である必要がある。
【００１７】
軸受部７に設ける軸通路８の開口の方向を互いに他の軸受部７がある方向で柄３とは反対の方向で適切に設定すれば、２つの片を係合するために軸５を軸通路８に挿入するときの２つの片がなす角度が限定される。逆に言えば、その角度でないと２つの片は外れないことになり、使用中に不用意に２つの片が外れることはなくなる。
【符号の説明】
【００１８】
１      本発明のナッツ割り器
１ａ    Ａ片
１ｂ    Ｂ片
１ｃ    軸受片
１ｄ    有軸片
２      挟圧部材
２ｃ    中央挟圧部材
２ｓ    外側挟圧部材
４      挟圧部
４ａＬ  挟圧部
４ａＲ  挟圧部
４ｂＬ  挟圧部
４ｂＲ  挟圧部
４ｃＬ  挟圧部
４ｃＲ  挟圧部
４ｄＬ  挟圧部
４ｄＲ  挟圧部
４ｏ    ナッツ保持・挟圧部
５      軸
５ａ    軸
５ｂ    軸
６      軸保持部
７      軸受部
７ａ    軸受部
７ｂ    軸受部
１１    突起
１２    押切刃
【図１】
2017099770.tif 000003
【図２】
2017099770.tif 000004
【図３】
2017099770.tif 000005
【図４】
2017099770.tif 000006
【図５】
2017099770.tif 000007
【図６】
2017099770.tif 000008
【図７】
2017099770.tif 000009
【図８】
2017099770.tif 000010
【図９】
2017099770.tif 000011